(57)【特許請求の範囲】
【請求項１】
引出し延伸ガイド（１）であって、
家具筐体に固定が可能な筐体レール（２）と、
開位置と閉位置との間で前記筐体レール（２）に対して移動可能に支持されている少なくとも１つの延伸レール（３ａ、３ｂ）と、
前記筐体レール（２）に対して前記延伸レール（３ａ、３ｂ）を閉動作の終端側に引き上げることができる少なくとも１つの持上げ装置（４）と、
を含んでおり、
前記持上げ装置（４）は少なくとも２つの部分からなり、
該持上げ装置（４）は、前記延伸レール（３ａ、３ｂ）を引き上げるための引上げ装置（５）と、該延伸レール（３ａ、３ｂ）を閉位置で支持するための支受装置（６）とを有しており、
該引上げ装置（５）は前記延伸レール（３ａ、３ｂ）の閉位置で該延伸レール（３ａ、３ｂ）から解放されることを特徴とする引出し延伸ガイド。
【請求項２】
前記延伸レール（３ａ、３ｂ）は、前記筐体レール（２）に方向付けられた上昇部（７）を有していることを特徴とする請求項１記載の引出し延伸ガイド。
【請求項３】
前記延伸レール（３ａ、３ｂ）は、前記上昇部（７）と前記引上げ装置（５）との相互作用によって引き上げが可能であり、該上昇部（７）は閉位置で支受装置（６）によって支持されることを特徴とする請求項２記載の引出し延伸ガイド。
【請求項４】
前記上昇部（７）は前記延伸レール（３ａ、３ｂ）のエンボス加工によって形成されていることを特徴とする請求項２または３記載の引出し延伸ガイド。
【請求項５】
前記引上げ装置（５）は第１領域（４ａ）により形成されており、
前記支受装置（６）は第２領域（４ｂ）により形成されており、前記第１領域（４ａ）と第２領域（４ｂ）は互いに接続されていることを特徴とする請求項１から４のいずれかに記載の引出し延伸ガイド。
【請求項６】
前記持上げ装置（４）により形成された前記第１領域（４ａ）は、前記第２領域（４ｂ）よりも軟質に形成されており、及び／又は前記第２領域（４ｂ）とは異なる材料で形成されていることを特徴とする請求項５記載の引出し延伸ガイド。
【請求項７】
前記引上げ装置（５）は、少なくとも１つの持上げ回転体（１５）を含んでいることを特徴とする請求項１から４のいずれかに記載の引出し延伸ガイド。
【請求項８】
前記支受装置（６）は前記持上げ回転体（１５）とは別体の少なくとも１つの支持回転体（１６）を含んでいることを特徴とする請求項７記載の引出し延伸ガイド。
【請求項９】
前記少なくとも１つの持上げ回転体（１５）と前記少なくとも１つの支持回転体（１６）は同一径を有していることを特徴とする請求項８記載の引出し延伸ガイド。
【請求項１０】
前記少なくとも１つの持上げ回転体（１５）は、前記少なくとも１つの支持回転体（１６）とは異なる材料で成ることを特徴とする請求項８又は９記載の引出し延伸ガイド。
【請求項１１】
前記持上げ回転体（１５）は前記支持回転体（１６）より軟質に形成されていることを特徴とする請求項８から１０のいずれかに記載の引出し延伸ガイド。
【請求項１２】
前記持上げ回転体（１５）はプラスチックで成り、前記少なくとも１つの支持回転体（１６）は金属製であることを特徴とする請求項８から１１のいずれかに記載の引出し延伸ガイド。
【請求項１３】
前記持上げ装置（４）とは別体の荷重を伝送する回転体（１７）は、前記筐体レール（２）と前記延伸レール（３ａ、３ｂ）の間に配置されていることを特徴とする請求項１から１２のいずれかに記載の引出し延伸ガイド。
【請求項１４】
前記回転体（１７）は共通の移動可能に支持された運搬体（１８）内に配置されていることを特徴とする請求項１３記載の引出し延伸ガイド。
【請求項１５】
前記引上げ装置（５）と前記支受装置（６）は、回転軌道（８）上で前後に配置されていることを特徴とする請求項１から１４のいずれかに記載の引出し延伸ガイド。
【請求項１６】
引出し（２１）と、請求項１から１５のいずれかに記載の引出し延伸ガイド（１）とを含んだ構成。
【発明の詳細な説明】
【技術分野】
【０００１】
本発明は引出し延伸ガイドに関し、この延伸ガイドは、
家具筐体に固定が可能な筐体レールと、
開位置と閉位置との間で筐体レールに対して移動可能に支持される少なくとも１本の延伸レールと、
閉動作の終端側に向かって延伸レールを筐体レールに対して上昇させることができる少なくとも１つの持上げ装置と、を含んでおり、持上げ装置は少なくとも２部分による構成であり、持上げ装置は、延伸レールを引き上げるための引上げ装置と、延伸レールを閉位置で支持するための支持装置とを有している。
【背景技術】
【０００２】
このような引出し延伸ガイドは既に知られており、例えば、ＥＰ１９５９７９４Ｂ１で紹介されている。従来の引出し延伸ガイドにおいては、延伸レール間に位置する回転体が、その上に永続的に作用する作用力によって変形する可能性があるという課題が存在した。例えば、その作用力は中身が入っている引出しの重量の結果であった。特に、引出しが閉じた状態の引出し延伸ガイドにおいては、回転体上に作用する作用力の影響が引出しの引き出し時よりも大きい。回転体の変形の程度は引出しの開閉中のガタガタ音および揺動スライド動作によって表わされる。少なくとも１本の延伸レールの前端部分に配置された支受装置（軸受装置）を有した引出し延伸ガイドは、それらレール間に配置された回転体を変形から解放して保護する。さらに、この支受装置は、閉じた状態にある引出しを少々上昇させ、引出しの逆方向の降下を防止する。よって、上下に重ねられたキャビネット形態の引出しの前面パネル間の水平に走行する接合部は一定になり、外側から観察できる接合部の整合状態が視覚的に美しくなる。支受装置に作用する引出しの重量のため、支受装置を抵抗性材料、例えば金属で作製することが有効である。例えば、金属支持回転体として形成された支受装置によって、引出しの長期にわたる使用後においても、それらが引出し延伸ガイドの長期利用の目的を達成することが保証される。しかし不都合も存在する。もし、荷重受け装置が、例えば、１種の抵抗性硬質材料、例えば、金属で成るなら、荷重受け装置は、その少なくとも１本の延伸レールに対応するときに、その材料硬質性によって騒音を発生させる。例えば、もし金属製の支持回転体が荷重受け装置として使用されると、軟質プラスチック回転体を使用した場合より、引出しを引き込むときに、同様に金属製である回転板部を介して大きな回転騒音が発生する。これら騒音は回転体の変形および非均等な接合部の整合状態同様に望ましくはない。
【発明の概要】
【発明が解決しようとする課題】
【０００３】
従って、本発明は、前述の弱点を回避しつつ、引出しを閉状態に引き込むときに持上げ装置により騒音が減衰されるように延伸レールの上昇を提供する引出し延伸ガイドを提供すべきである。閉状態では延伸レールは抵抗性支受装置によって支持されるべきであり、回転体は解放されるべきである。同時に、前方パネル間の均等な接合部の整合が提供されるべきである。
【課題を解決するための手段】
【０００４】
本発明によれば、このことは、引上げ装置を延伸レールの閉位置で延伸レールから解放することによって実現される。
【０００５】
本発明のさらなる利点は従属請求項において特定されている。
【０００６】
もし、支受装置の材料の硬度よりも軟質である材料で作製された持上げ装置が使用されるなら、その持上げ装置は騒音を低減してそれらレールを引き上げる機能を引き受ける。よって、引出しは、その引込み終端位置に先立つ領域で軟質持上げ装置によって持ち上げられ、引出しは、例えば、金属製の支持回転体によってその終端位置で静的に支持される。
【０００７】
本発明のさらなる詳細と利点は、図面で示される実施例の説明によって以下でさらに十分に説明されている。
【図面の簡単な説明】
【０００８】
【図１】引出し延伸ガイド上の引出しを備えた筐体で形成された家具を示す。
【図２】引出し延伸ガイドの１実施例を分解図で示す。
【図３】引出し延伸ガイドの前方端部を示す。
【図４ａ】延伸レールが異なる位置に存在する引出し延伸ガイドの概略図である。
【図４ｂ】延伸レールが異なる位置に存在する引出し延伸ガイドの概略図である。
【図４ｃ】延伸レールが異なる位置に存在する引出し延伸ガイドの概略図である。
【図４ｄ】延伸レールが異なる位置に存在する引出し延伸ガイドの概略図である。
【図５ａ】延伸レールが異なる位置に存在する引出し延伸ガイドの側面図である。
【図５ｂ】延伸レールが異なる位置に存在する引出し延伸ガイドの側面図である。
【図５ｃ】延伸レールが異なる位置に存在する引出し延伸ガイドの側面図である。
【図６ａ】一体的に形成されている持上げ装置の１実施例の概略図である。
【図６ｂ】一体的に形成されている持上げ装置の１実施例の概略図である。
【図７】延伸した状態の引出し延伸ガイドの前方部分を下方から示す。
【発明を実施するための形態】
【０００９】
図１は筐体３０で形成された家具４０を示す。筐体レール２は筐体３０に取付け部３１を介して接続されており、引出し２１は延伸レール３ａ、３ｂに横方向に取り付けられており、筐体３０内で移動可能である。引出し２１の引込み状態では前方パネル２２が筐体３０と整合状態で配置されている。
【００１０】
図２は個別の構成群を備えた引出し延伸ガイドの分解図である。引出しに接続できる引出しレール１３で形成された延伸レール３ａ、および引出しレール１３と筐体レール３０との間に位置する中央レール１４の延伸レール３ｂは、筐体レール２に対して、および相対的に運搬体１８を介して移動できるように長手方向に支持されている。複数の回転体１７が運搬体１８に配置されており、回転体１７は筐体レール２の回転軌道８および延伸レール３ａ、３ｂに沿って回転する。引出し延伸ガイド１が閉じると直ちに、持上げ装置４は回転軌道８および上昇部７と相互作用する。この実施例では上昇部７は延伸レール３ａの浮上げ加工（エンボス加工）により形成されている。別実施態様では上昇部７は筐体レール２にも配置が可能であり、あるいは筐体レール２によって構築が可能である。
【００１１】
図３は、例えば中央レール１４と引出しレール１３とを含んだ延伸レール３ａ、３ｂを長手方向に移動可能に支持する引出し延伸ガイド１の前方端部を示す。回転体１７に加えて、持上げ装置４も引出し延伸ガイド１のレール２、３ａ、３ｂ間に配置されている。持上げ装置４は持上げ回転体１５を備えた引上げ装置５と支持回転体１６を備えた支受装置６とを含む。ランプ構造に類似した上昇部７は引出しレール１３上に位置しており、そこで上昇部７は、相互および筐体レール２に対する延伸レール３ａ、３ｂの引込み動作の終端部の方向に引上げ装置５または支受装置６と接触する。
【００１２】
図４ａは、筐体レール２と延伸レール３ａ、３ｂとを含んだ引出し延伸ガイド１を示しており、それらの間には回転体１７と持上げ装置４とが配置されている。この実施例においては、持上げ装置４は、持上げ回転体１５および支持回転体１６として形成されている引上げ装置５と支受装置６とを含む。中央レール１４と引出しレール１３は筐体レール２に対し、引出しレール１２の図示の位置にて回転体１７上に支持されているだけである。持上げ装置４は延伸レール３とは接触しない。よって、引出し２１の全荷重は回転体１７にかかる。
【００１３】
図４ｂは、引上げ装置５が上昇部７と相互作用している引出し２１の引込み状態で方向付けられた領域の引出し延伸ガイド１を概略的に示す。引出し延伸ガイド１の概略図であるため、それぞれの場合に２つだけの回転体１７が図４ａと図４ｂに示されている。図１に示すように、引出し延伸ガイド１は２つの回転体１７だけではなく、複数の回転体１７を含むこともできる。回転体１７は、引出し２１をさらに引き込むとき、延伸ガイド３ａ、３ｂの持上げによって引出し２１の重量から継続的に解放される。引出しレール１３と中央レール１４の持ち上げは引上げ装置５と上昇部７の相互作用によって実行される。
【００１４】
図４ｃは、延伸レール３ａ、３ｂが、図４ｂで示すよりもさらに端部位置の方向に引き込まれている引出し延伸ガイド１を概略的に示す。筐体レール２に対する延伸ガイド３ａ、３ｂのこの位置において、引上げ装置５と支受装置６は上昇部７と協調して引出しの重量の大部分を引き受けている。ここでは回転体１７は引出し２１の重量から実質的完全に解放されている。引出しの構造、内容物および前方パネル２２のために引出し２１はしばしば前方部が重く、後方部よりも引出し延伸ガイド１の前方端部にさらに重い荷重がかかる。よって、後方側に配置された回転体１７は一般的に前方側よりも荷重が小さい。
【００１５】
図４ｄは、引出しが引込位置に存在する引出し延伸ガイド１を概略的に示す。支持回転体１６を含む支受装置６は上昇部７および荷重を少々受けている回転体１７の一部と共に延伸レールを運搬する。引上げ装置５は上昇部７にはもはや接触せず、図示の位置では機能を発揮しない。よって、引出しの全荷重は支受装置６、言い換えると、支持回転体１６および回転体１７の一部に分散する。回転体１７の大部分と引上げ装置５は荷重から解放されており、変形から保護されている。
【００１６】
図５ａは、引出し延伸ガイド１の一部を側面図で図示する。ここでは上昇部７が明瞭に示されている。この図においては引上げ装置５も支受装置６も上昇部７と相互作用しないことが明示されている。
【００１７】
図５ｂは、延伸レール３ａの１つである引出しレール１３が引出し２１の端部位置の前方の領域に位置している引出し延伸ガイド１の１実施例を側面図で示す。持上げ回転体１５として形成されている引上げ装置５は上昇部７と接触し、引出しレール１３を支受装置６による支受のための準備として引き上げる。支持回転体１６として形成された支受装置６はこの位置ではまだ上昇部７と接触しておらず、引出し２１の重量から解放されている。
【００１８】
図５ｃは、支持回転体１６として形成されている支受装置６が上昇部７にどのように位置しているかを示しており、持上げ回転体１５として形成されている引上げ装置５がどのように解放されるかを示す。
【００１９】
図６ａは、第１領域４ａと第２領域４ｂを含んだ持上げ装置４を概略的に示す。第１領域４ａは引上げ装置５の作用領域であり、第２領域４ｂは支受装置６の作用領域である。前述の図面の説明において既に説明したように、上昇部７（ここでは非図示）は引出し２１を引き込むときに、まず引上げ装置５と相互作用し、引出しをさらに引き込むときに支受装置６と相互作用する。もし、第１領域４ａが軟質材料、例えば軟質プラスチック製であれば、引出し延伸ガイド１の騒音は低減させることができる。大気雑音の観点からは、さらに抵抗性である材料、例えば金属は、第１領域４ａの軟質プラスチックよりも引出し２１の支持にはさらに適している。第２領域４ｂは、軟質プラスチックと比較してさらに硬質でさらに抵抗性である材料製の支受装置６を含む。ここでは、例えば、第１領域４ａのプラスチックよりもさらに高い磨耗抵抗性と形状安定性である金属が使用されている。従って、引出しは第２領域４ｂで、言い換えると、引出しの引込み状態で支受装置６に支持されている。この場合には第１領域４ａは解放されている。引出し２１の緩やかで静かな駆動および持ち上げが第１領域４ａで保証され、引出し２１の長期の安定性および抵抗支持性が第２領域４ｂによって保証される。
【００２０】
図６ｂは２つの領域４ａと４ｂを備えた持上げ装置４を示す。この実施例では、これら２つの領域は持上げ回転体１５および支持回転体１６として形成されている。持上げ装置４は支受体９によって少なくとも１つの延伸ガイド３ａ、３ｂにシーソー式に接続されている。持上げ回転体１５と支持回転体１６を備えた持上げ装置４を含んだ構成は、シーソー式支受体９によって回転軌道８と上昇部７に適用が可能である。
【００２１】
図７は、筐体レール２と延伸レール３ａ、３ｂ、例えば中央レール１４と引出しレール１３を含んだ引出し延伸ガイド１の一部領域を示す。持上げ装置４と上昇部７が引出し２１の引込み状態で協調しているとき、中央レール１４は支受体９によって支持され、引出しレール１３は持上げ回転体１５と支持回転体１６によって引き上げられる。よって、点線で示されている支持回転体１６を介して引出し１３から筐体レール２に重量作用力が直接的に解放されるため、中央レール１４の上下の回転体１７（図６には図示せず）は解放される。
【図１】
0006329261.tif 000002
【図２】
0006329261.tif 000003
【図３】
0006329261.tif 000004
【図４ａ】
0006329261.tif 000005
【図４ｂ】
0006329261.tif 000006
【図４ｃ】
0006329261.tif 000007
【図４ｄ】
0006329261.tif 000008
【図５ａ】
0006329261.tif 000009
【図５ｂ】
0006329261.tif 000010
【図５ｃ】
0006329261.tif 000011
【図６ａ】
0006329261.tif 000012
【図６ｂ】
0006329261.tif 000013
【図７】
0006329261.tif 000014